(57)【特許請求の範囲】
【請求項１】
入浴用の温水が貯留する入浴槽と、この入浴槽に隣接し、前記入浴槽内の温水とは別に放出される、前記入浴槽内の温水より低温の低温液を受ける受水部とを備え、この受水部が前記低温液を前記入浴槽とは独立して排出するための排出孔を有する浴槽ユニットで使用され、
入浴者の首の周りに装着され、頭部より大きい面積を持ち、前記頭部が挿通して前記首周りに配置される挿通孔を有し、前記低温液を受けたときに形態を維持し得る面状の本体部からなり、前記本体部の前記挿通孔周りの内周部は周方向に伸縮自在であり、前記本体部の外周部の少なくとも周方向の一部に、前記受水部内に挿入され、前記受水部内で抜け止めされる定着部を持つことを特徴とする頭部被水用遮水具。
【請求項２】
前記定着部は前記受水部の前記排出孔内に挿入され、前記排出孔に抜け止めされることを特徴とする請求項１に記載の頭部被水用遮水具。
【請求項３】
前記定着部は前記受水部の内周面、もしくは前記排水孔内で抜け出しに対して安定し得るだけの剛性が与えられていることを特徴とする請求項１、もしくは請求項２に記載の頭部被水用遮水具。
【請求項４】
前記定着部の周方向の両側に角部が形成されていることを特徴とする請求項３に記載の頭部被水用遮水具。
【請求項５】
前記本体部の外形線が多角形状に形成され、前記定着部は前記多角形状の辺に沿って周方向に連続して形成された外周部のいずれかの辺に相当する部分であることを特徴とする請求項４に記載の頭部被水用遮水具。
【請求項６】
前記挿通孔の中心は前記本体部の中心に対して偏心していることを特徴とする請求項５に記載の頭部被水用遮水具。
【発明の詳細な説明】
【技術分野】
【０００１】
本発明は入浴用の温水が貯留する入浴槽と入浴槽内の温水より低温の低温水等の低温液を受ける受水部とを備えた浴槽ユニットにおいて、入浴中に頭部が低温液を浴びる（被る）ために使用される頭部被水用遮水具に関するものである。
【背景技術】
【０００２】
例えば温泉の施設等として、人が入浴する入浴槽と、入浴槽に隣接し、入浴槽内に貯留している温水とは別の蛇口等の吐出口から、入浴槽内の温水より低温の低温水が放出され、低温水を受ける受水部とを備える浴槽ユニットは、身体全体を入浴槽に浸けたまま、低温水を顔面等、頭部に受けることを可能にする形態を有している。顔面に低温水を受けることは入浴槽内の温水との温度差があることで、長時間の入浴を促す効果があると考えられる。
【０００３】
但し、低温水の吐出口は受水部の上にあるため、身体を入浴槽に横たえ、頭部を受水部に載せた状態で、低温水を頭部に受けたときには低温水の一部が顔面を含む頭部に反射するため、受水部内で受け止めきることができず、低温水が入浴槽中に入り込ことは避けられない。低温水が入浴槽内へ流れ込むことは入浴槽内の温水の温度を低下させることになる他、頭部の汚れが入浴槽内に入り込むことにもなるため、他の入浴者には快いことではない。
【０００４】
しかしながら、このような、入浴用の入浴槽の他に低温水を放出する設備を備えた温泉施設が多くないことから、低温水を頭部に浴びるときに生ずる反射水を受水部内に留めさせるための専用の備品は現在、市販されてはおらず、開発もされていない。
【０００５】
浴槽の他に、頭部を洗浄するための洗髪槽を浴槽に隣接して備えた浴槽ユニットはあり（特許文献１、２参照）、この種のユニットは形態的には前記した入浴槽と受水部を備えた浴槽ユニットに類似するが、このユニットには洗髪槽中で頭部を洗浄した洗浄水を浴槽に流入させないか、飛散させないための専用の部品は付属していない。
【０００６】
特許文献１では洗髪槽に専用の排水孔が形成されていないため、洗髪槽内に溜まった洗浄水は掻き出されなければならない。特許文献２では洗髪槽内に浴槽とは別に洗浄水を排出するための排水孔（排水管）が接続しているが、洗髪槽には洗浄中の頭部を跳ねた洗浄水の浴槽への飛散等を阻止するための機能はない。
【０００７】
入浴者が浴槽に浸かりながらも、頭髪の洗浄を可能にする洗浄水遮断用の帽子状の備品（シャンプーハット）は幾つか提案されている（特許文献３〜５参照）。
【先行技術文献】
【特許文献】
【０００８】
【特許文献１】特開２００１−２９９６１５号公報（請求項１、段落０００６〜００１６、図１〜図７）
【特許文献２】特開２００７−２２２４１５号公報（請求項１、段落００１２〜００２２、図１、図３、図４）
【特許文献３】特開２０００−３５４５１１号公報（請求項１、段落０００５〜００１９、図１〜図３）
【特許文献４】特開２００１−３５３０１９号公報（請求項１、段落０００６〜００１１、図１〜図６）
【特許文献５】特開２０１２−８１２２６号公報（請求項１、段落０００８、０００９、図１、図２）
【発明の概要】
【発明が解決しようとする課題】
【０００９】
しかしながら、特許文献３〜５のシャンプーハットは頭部の回りに被る形態であるため、前記のように顔面を含めた首から上の頭部全体に低温水を浴びることに適した形態ではない。仮にこれらのハットが首の回りに装着する応用が可能であるとしても、シャンプーハットの上面で受けた水は上面からは垂れ流し状態にあるため、例えば特許文献２の洗浄槽に適用されたとしても、洗浄水を洗浄槽に接続（連通）した排水孔に誘導する機能を果たすことはない。
【００１０】
本発明は上記背景より、例えば前記した受水部（洗髪槽）を持つ特許文献２の浴槽に類似した浴槽ユニットに適用されたときに、頭部に低温水等の低温液を浴び、低温液を入浴槽へ流出させずに受水部の排出孔へ排水することの確実性を高めた頭部被水用遮水具を提案するものである。
【課題を解決するための手段】
【００１１】
請求項１に記載の発明の頭部被水用遮水具は、入浴用の温水が貯留する入浴槽と、この入浴槽に隣接し、前記入浴槽内の温水とは別に放出される、前記入浴槽内の温水より低温の低温液を受ける受水部とを備え、この受水部が前記低温液を前記入浴槽とは独立して排出するための排出孔を有する浴槽ユニットで使用され、
入浴者の首の周りに装着され、頭部より大きい面積を持ち、前記頭部が挿通して前記首周りに配置される挿通孔を有し、前記低温液を受けたときに形態を維持し得る面状の本体部からなり、前記本体部の前記挿通孔周りの内周部は周方向に伸縮自在であり、前記本体部の外周部の少なくとも周方向の一部に、前記受水部内に挿入され、前記受水部内で抜け止めされる定着部を持つことを構成要件とする。
【００１２】
浴槽ユニットは基本的に入浴槽と受水部から構成され、受水部の内周面に連続して低温液を排出するための排出孔が形成、もしくは接続される。請求項１における「低温液を入浴槽とは独立して排出する」とは、入浴槽に形成される排出孔とは別の低温液用の排出孔が受水部に形成（接続）され、受水部で受けた低温液を受水部から直接、排水することの意味であり、受水部に人の頭部がない状態では低温液は受水部に入浴槽内の温水と交わることなく受水部から排出される。受水部の排出孔の位置と形状は問われない。低温液には前記したように蛇口等の吐出口から放出される、入浴槽内の温水より低温の低温水の他、顔面や頭部全体の洗浄、あるいは美容等の目的で容器等から顔面や頭部全体に直接、かけられる（放出される）洗浄液、または美容液等が含まれる。
【００１３】
受水部３は入浴者が入浴槽２への入浴時には頭部を載せることが可能な形状をし、入浴者は図１−（ａ）に示すように頭部を受水部３に載せた状態で、首より下の身体を入浴槽２内に浸けた姿勢を取ることを可能にする。遮水具６は入浴者の首の周りに装着された状態で使用され、入浴者が頭部を受水部３上に載せ、身体を入浴槽２内に浸ける姿勢を取ったときに、定着部６５が排出孔４を含む受水部３内に納まって安定した状態が使用状態になり、使用状態で受水部３と入浴槽２を仕切る。遮水具６は低温液を受けたときに形態を維持し得る能力を持ちながら、外周部６４の一部の定着部６５において受水部３内で抜け止めされるため、低温液の吐出側の面に低温液を受けながらも、受水部３の排出孔４と入浴槽２を仕切る状態を維持する。
【００１４】
請求項１における「遮水具の本体部」とは、主に遮水具６の全体を指すが、挿通孔６２周りの内周部６３と外周部６４を除いた部分を指す場合と、内周部６３と外周部６４を含めて指す場合がある。「面状の」とは、本体部６１が全体として面状、あるいは板状の形状をすることであり、平面状である場合と曲面状である場合がある。曲面状の場合には、低温液を堰き止める機能を果たす上では、吐出口５等の側（放出側）が凹になる状態で使用されることが適切である。
【００１５】
「本体部が頭部より大きい面積を持つ」とは、遮水具６が頭部に装着された状態で、本体部６１の挿通孔６２を含む平面に垂直な方向への、頭部の本体部６１への投影面積より本体部６１が大きい面積を持つことを言う。図１−（ａ）に示すように遮水具６が頭部に装着された状態では、本体部６１の顔面側の面積が吐出口５等から放出される低温液の入浴槽２内への流入を阻止する効果を左右するため、低温液の入浴槽２内への流入防止上は図３−（ａ）に示すように挿通孔６２の中心に関して顔面側の面積が後頭部側の面積より大きい方が効果が高い。
【００１６】
本体部６１は頭部より大きい面積を持つことで、図１−（ａ）に示すように内周部６３において入浴者の首の周りに装着され、入浴者が頭部を受水部３上に載せ、身体を入浴槽２内に浸けたときに、受水部３（の排出孔４）と入浴槽２を仕切り、吐出口５等から放出される低温液を受水部３と入浴槽２の境界で堰き止める働きをし、入浴者の頭部に反射して飛散する分を含め、低温液が入浴槽２内へ流入することを阻止する。遮水具６は入浴槽への入浴時に頭部に低温液を浴び、低温液を入浴槽２へ流出させずに受水部３の排出孔４へ排水するために使用される。本体部６１の内周部６３と外周部６４はそれぞれ本体部６１の内周部分と外周部分に一定の幅を持って周方向に連続する縁部分を指し、本体部６１の外形線は円形状、多角形状、楕円形状等、任意の形状に形成される。
【００１７】
遮水具６が吐出口５等から放出される低温液を受水部３と入浴槽２の境界で堰き止め、低温液が入浴槽２内へ流入し、または飛散することを阻止することで、低温液が入浴槽２内に流れ込むことによる入浴槽２内の温水の温度の低下と、頭部の汚れの入浴槽２内への拡散、あるいは低温液が洗浄液等である場合の入浴槽２内の温水との混合を回避することが可能になる。
【００１８】
遮水具６の使用状態で入浴者の首の周りに位置し、挿通孔６２の周りを周回する内周部６３は頭部が通過するときに伸長し、通過した後に収縮して首の周りに装着されるよう、適度の伸縮性を有する例えばポリウレタン等の合成樹脂、ポリエステル等の合成繊維、合成・天然ゴム等の材料から形成される。また遮水具６の本体部６１は入浴者の首への装着時と離脱時、及び定着部６５の排出孔４内等への挿入時等に弾性変形する必要がある上、少なくとも低温液を受ける側は撥水性、または不透水性を有する必要があるため、可撓性と不透水性を有する軟質ポリ塩化ビニル等の合成樹脂等の材料から形成される。
【００１９】
遮水具６を首の周りに装着することは、例えば内周部６３から外周部６４までの間に放射方向に切れ目を入れておき、遮水具６自体が切れ目を挟んで周方向に、もしくは厚さ方向に分離可能な形態をしていることによっても可能であるが、その場合、使用中に切れ目から低温液が漏れ、入浴槽２に入り込む可能性が高い。これに対し、本発明では挿通孔６２周りの内周部６３が周方向に連続し、閉じていることで、切れ目を入れる場合の低温液の入浴槽２への漏れは回避されている。
【００２０】
「本体部が低温液を受けたときに形態を維持し得る」とは、本体部６１が全体として図１−（ａ）に示すように首から起立した状態を維持できるだけの面外剛性を有することに加え、低温液による圧力に対しても曲げ変形することなく、面状の形態を維持可能であることの意味である。本体部６１が水圧に抵抗できるだけの面外剛性を持つことは、具体的には本体部６１に低温液の圧力に耐えられるだけの面外剛性を付与する、もしくは本体部６１を面外剛性を有する材料で製作する、または外周部６４に面外剛性を付与する、もしくは外周部６４に本体部６１より剛性の大きい材料を使用することにより得られる。本体部６１と外周部６４の材料が異なる場合、または本体部６１と外周部６４の断面形状が異なる（本体部６１と外周部６４が別体である）場合、外周部６４は本体部６１には接着、溶着、縫合等により一体化させられる。
【００２１】
本体部６１自体に面外剛性を持たせることは、図５−（ａ）に示すように本体部６１とは別体のフレーム状の、着脱自在な外周部６４が本体部６１の外周部分に接続（接着）され、一体化したときに、本体部６１に面内方向に張力が与えられた状態になることにより、または図７に示すように浮き輪のように本体部６１を中空にしておき、使用時に本体部６１内に空気を注入し、膨張させることによっても可能である。外周部６４に面外剛性を付与することは図３−（ｃ）に示すように外周部６４を中空にしておき、使用時に外周部６４内に空気を注入することによっても可能である。
【００２２】
図５−（ａ）に示す例のように本体部６１に対して着脱自在な外周部６４は例えば折れ尺のように正多角形の１辺毎に折り畳み自在にピンで連結された棒状の部品からなり、本体部６１の外周部分に接続されながら、棒状部品の長さ方向両側に位置する棒材が互いにピンで連結されたときに、正多角形状の形態を維持し、同時に本体部６１の形態も維持する。この場合の外周部６４は本体部６１の外周部分には面ファスナー７等により着脱自在に接続（接着）される。
【００２３】
定着部６５が受水部３内に挿入され、受水部３内で抜け止めされることは、例えば図１、図２に示すように定着部６５が受水部３の排出孔４内にまで挿入され、排水孔４の内周面に嵌合、または係合等、内接することにより（請求項２）、もしくは図４−（ａ）に示すように受水部３の内周面に遮水具６の周方向の２点（角部６６、６６）で係合等、内接することにより可能になる。この他、定着部６５から排水孔４内に差し込まれる錘を懸垂させることにより、あるいは受水部３や排水孔４の内周面に、遮水具６に接続された吸盤や粘着シート等を用いて一時的に接着させる等により可能になる。
【００２４】
定着部６５が受水部３の排出孔４内に挿入されて抜け止めされる場合（請求項２）、定着部６５は図３−（ａ）、（ｂ）に示すように受水部３の内周面より奥に入った排水孔４に差し込まれた状態で遮水具６（外周部６４）の周方向と厚さ方向に係合等することにより、または周面において接触したときの摩擦力を発生することにより挿入状態を維持する。この結果、遮水具６が首の周りに装着された状態で、本体部６１は低温液を受けたときの水圧と入浴者の動きに起因する排出孔４からの抜け出し、あるいは面外方向の移動や挿通孔６２周り（面内方向）の回転、振動等の挙動に対して安定性を確保する。
【００２５】
定着部６５は図３−（ａ）に示す状態のときには遮水具６の周方向にはいずれの回転の向きにも係合した状態になる。定着部６５は図３−（ｂ）に示すように遮水具６の厚さ方向には排出孔４内で挟まれた状態にはならなくても、遮水具６の厚さ方向に定着部６５の一方側の面と他方側の面が排出孔４の対向する内周面に接触することで、または外周部６４の定着部６５寄りの部分が排出孔４の対向する内周面に接触することで安定する。遮水具６を面内方向に見たときに、定着部６５の下端部の厚さ方向両面側の点（線）、もしくは線（面）が受水部３、もしくは排出孔４の内周面に遮水具６の面外方向に係合した状態にあれば、遮水具６は面外方向の移動に対しても安定性を確保することになる。
【００２６】
図３−（ａ）、図４−（ｂ）に示すように受水部３の内周面が上方側から排水孔４にかけて漏斗状の形状をし、上方から下方へ向けて排水孔４の断面積が次第に減少するような形状をする場合には、例えば図３−（ａ）に示すように定着部６５が単純に排水孔４の内周面に沿った形状をすることで、または図４−（ａ）、（ｂ）に示すように直線状に形成された定着部６５の長さ方向両側の部分（角部６６、６６）が受水部３の内周面や排水孔４の内周面に接触することで、受水部３内や排出孔４内に挿入されたときに抜け出しに対して安定し易い。また図１−（ｂ）、図２に示すように受水部３の内周面に、または排出孔４の一部に、もしくは排出孔４の付近に低温液の吐出時の流勢を緩和させる（反射時の跳ねを抑制する）ための、あるいはその他の目的の緩衝溝３ａが形成されているような場合には、図６に示すように緩衝溝３ａに定着部６５を納めて安定させることもできる。
【００２７】
但し、定着部６５が受水部３の内周面、または排水孔４の内周面に挿入された状態で、定着部６５の剛性不足のために、受水部３の内周面、もしくは排水孔４内で抜け出しに対する十分な安定性を得られない場合には、定着部６５に受水部３の内周面、もしくは排水孔４内で抜け出しに対して安定し得るだけの剛性が与えられる（請求項３）。定着部６５は図３に示すように外周部６４の一部である場合と、図５に示すように外周部６４の全体である場合がある。後者の場合、多角形状の外周部６４のいずれかの辺（区間）が選択的に定着部６５として利用される。定着部６５は少なくとも外周部６４の一部であるから、前記のように外周部６４に面外剛性が付与されている場合には、定着部６５に格別、剛性を付与する必要はないため、本体部６１が面外剛性を有し、外周部６４が面外剛性を有していない場合に、定着部６５に剛性が付与される。
【００２８】
定着部６５の剛性が本体部６１の剛性より高められることは、例えば図５−（ａ）に示すように定着部６５としての外周部６４に本体部６１と異なる、硬質プラスチック等の相対的に硬質の材料を用い、外周部６４を本体部６１に接着、溶着、縫合等により一体化させることにより、または着脱自在に接着（接続）することにより可能になる。あるいはまた、外周部６４の剛性を高める場合と同様に、定着部６５の部分のみを中空にしておき、使用時に定着部６５内に空気を注入することによっても可能である。図５−（ａ）に示す外周部６４は着脱自在に本体部６１の外周部分に接続される場合の例を示している。
【００２９】
定着部６５が受水部３の内周面、もしくは排水孔４内で抜け出しに対して安定し得るだけの剛性を有することで、定着部６５が受水部３の内周面内、もしくは排出孔４内で変形しにくくなるため、例えば入浴者の身体が姿勢を変える際に移動し、定着部６５に本体部６１の面内方向と面外方向の力が作用したときに、受水部３の内周面、もしくは排水孔４の内周面に係合等した状態を維持し易くなり、受水部３や排水孔４からの抜け出しに対する安定性が向上する。
【００３０】
特に定着部６５が図５に示すように直線状に形成される等により、定着部６５の周方向（長さ方向）の両側に角部６６、６６が形成されている場合（請求項４）には、図４に示すように定着部６５の周方向両側の２点で受水部３の内周面、もしくは排出孔４の内周面、または緩衝溝３ａの内周面に接触する状態になるため、本体部６１自体が首の周りに装着された状態で、面内方向に回転しにくい状態を得ることができ、首への装着状態での安定性が向上する。ここで言う「角部６６」は定着部６５が多角形の１辺である場合（請求項５）に、その１辺の両側に形成される、本体部６１の外周側へ凸になった隅角部を言い、受水部３の内周面等に直接、接触する部分を指すため、必ずしも明確な角度を持った部分である必要はない。
【００３１】
この場合、定着部６５が図４−（ａ）に示すように周方向両側の２点（角部６６、６６）で受水部３の内周面等に接触した状態では、遮水具６が挿通孔６２の中心周りに回転しようとするときに定着部６５が２点で受水部３の内周面等から反力を受けることができるため、遮水具６が周方向に回転（揺動）しにくい状態になる。定着部６５の角部６６が受水部３、もしくは排出孔４の内周面に接触した状態にあるときには、特に上下動が伴わない限り、角部６６は受水部３、もしくは排水孔４の中心周りのいずれの向きの回転時にも内周面に係合し、抜け出すことができないため、回転しにくい状態が得られる。
【００３２】
また本体部６１の外形線が多角形状に形成され、定着部６５が本体部６１の外周部６４のいずれかの辺に相当する部分である場合（請求項５）には、本体部６１の外周部６４に辺の本数分の定着部６５が形成されるため、例えば図５−（ｂ）、（ｃ）に示すように多角形の辺の長さを相違させることで、図４−（ｂ）に示すように受水部３内周面の、遮水具６の面内水平方向の幅、もしくは排出孔４の深さ等の大きさに応じて受水部３、もしくは排出孔４内で安定させるための定着部６５を選択する自由を持たせることが可能である。この場合、定着部６５は多角形状の辺に沿って周方向に連続して形成された外周部６４のいずれかの辺に相当する部分になる。「外周部６４のいずれかの辺に相当する部分」とは、外周部６４が本体部６１の外形線である多角形状の辺を含み、放射方向に一定の幅を持った部分になるため、その多角形状のいずれかの辺を含む部分が定着部６５であることを言う。
【００３３】
本体部６１の外形線が図５−（ｂ）、（ｃ）に示すように正多角形でない不等辺多角形状である場合、本体部６１の外周部６４には複数通りの長さの辺が形成され、複数通りの長さの定着部６５が形成されるため、例えば受水部３、もしくは排出孔４が漏斗状の形状をしている場合に、図４−（ｂ）に示すように受水部３、もしくは排出孔４の内周面間距離の相違に対応して定着部６５を受水部３、もしくは排出孔４の内周面に２点（角部６６）で接触させることが可能になる。受水部３、もしくは排出孔４が漏斗状の場合、受水部３の底面からの深さに応じて受水部３、もしくは排出孔４の水平方向の内周面間距離が変化するため、複数の定着部６５の長さが相違することで、受水部３、もしくは排出孔４の深さに応じて、または排出孔４の形状に応じて受水部３や排出孔４に定着させるべき定着部６５を選択（変更）することが可能になる。複数通りの長さの定着部６５が形成される場合にはまた、受水部３に緩衝溝３ａが形成される場合に、緩衝溝３ａの長さの相違に対応することも可能である。
【００３４】
外周部６４に空気を注入することにより剛性を付与する場合、空気の注入により定着部６５の角部６６が明確に表れなくなる可能性があるが、外周部６４内への空気の注入により定着部６５が膨張していることで、受水部３の水平方向に対向する内周面間、または緩衝溝３ａの対向する端面間に定着部６５を収縮させた状態で差し込むことができる。この結果、収縮時の膨張しようとする復元力によって定着部６５を受水部３の内周面等に密着させることができるため、差し込み状態での抜け出しに対する安定性が得られる。
【００３５】
更に本体部６１の外形線が多角形状である場合に、遮水具６が受水部３、もしくは排水孔４の中心が本体部６１の中心に対して偏心している場合（請求項６）には、使用者の身長、あるいは首の高さ等の相違、すなわち受水部３、もしくは排出孔４内の定着部６５の位置から首までの距離の相違に対応することが可能になる。例えば図５−（ｂ）に示すように本体部６１の外形線が線対称形の六角形状である場合、長さが相違する辺が３本、形成され、この３本の辺から挿通孔３ａの中心までの距離が相違するため、この相違する距離が定着部６５から首の中心までの距離になる。図５−（ｃ）に示すように本体部６１の外形線が六角形のいずれかの辺の中点と挿通孔６２の中心を通る直線に関して線対称である場合には、長さの相違する辺が４本、形成される。
【発明の効果】
【００３６】
遮水具の本体部が頭部より大きい面積を持ち、低温液を受けたときに形態を維持し得る能力を持つことで、入浴槽内に入浴した入浴者の頭部に装着されたときに受水部と入浴槽を仕切り、吐出口等から放出される低温液を受水部と入浴槽の境界で堰き止めるため、入浴者の頭部に反射して飛散する分を含め、低温液が入浴槽内へ流入することを阻止することができる。この結果、低温液が入浴槽内に流れ込むことによる入浴槽内の温水の温度の低下と頭部の汚れの入浴槽内への拡散を回避することができる。
【図面の簡単な説明】
【００３７】
【図１】（ａ）は遮水具が入浴槽に横たわった入浴者の首の周りに装着された状態で定着部が排水孔内に差し込まれている様子を示した縦断面図、（ｂ）は（ａ）の受水部の内周面の一部に緩衝溝が形成されている様子を示した縦断面図である。
【図２】図１の状況にある遮水具と受水部との関係を示した図１の平面図である。
【図３】（ａ）は定着部が外周部の一部に形成された、図１、図２に示す遮水具と受水部との関係を示した、遮水具を厚さ方向に見た立面図（正面図）、（ｂ）は（ａ）のｘ−ｘ線断面図、（ｃ）は（ａ）のｙ−ｙ線断面図である。
【図４】（ａ）は外周部が多角形状に形成された遮水具の定着部が受水部の内周面に２点で係合している様子を示した、遮水具を厚さ方向に見た立面図、（ｂ）は受水部から排水孔にかけての内周面が漏斗状に形成され、遮水具が定着部（辺）の長さが相違する多角形状に形成された場合に、受水部内周面の内周面間距離に応じて長さの相違する定着部を２点で係合させた様子を示した、遮水具を厚さ方向に見た立面図である。
【図５】（ａ）は折れ尺状の外周部が本体部に対して着脱自在に接続される形態の遮水具を示した、遮水具を厚さ方向に見た立面図、（ｂ）、（ｃ）は本体部の外形線が不等辺多角形状に形成された場合の遮水具を示した、遮水具を厚さ方向に見た立面図である。
【図６】図５に示す遮水具のいずれかの定着部を緩衝溝内に差し込んで抜け止めさせたときの遮水具と受水部との関係を示した平面図である。
【図７】（ａ）は中空状の本体部内に空気を注入して使用する形態の遮水具を示した、遮水具を厚さ方向に見た立面図、（ｂ）は（ａ）のｘ−ｘ線断面図である。
【発明を実施するための形態】
【００３８】
図１−（ａ）は入浴用の温水が貯留する入浴槽２と、入浴槽２に隣接し、入浴槽２内の温水とは別に放出される、入浴槽２内の温水より低温の低温液を受ける受水部３とを備えた浴槽ユニット１で使用される遮水具６が入浴者の首の周りに装着されているときの使用状態を示す。遮水具６は入浴者の入浴槽２への入浴時に頭部に低温液を浴び、低温液を入浴槽２へ流出させずに受水部３の排出孔４へ排水する目的で使用される。低温液は受水部３の上方に設置された吐出口５等から放出されるか、または受水部３内で、もしくは受水部３上で専用の容器等から放出される。図２は図１−（ａ）の状態にあるときの遮水具６と受水部３の関係を平面で見たときの状況を示す。低温液は主に吐出口５等から放出される、温水と同一成分の低温水の場合と、容器等から放出される洗浄液、または美容液等の場合がある。
【００３９】
遮水具６は入浴者の頭部より大きい面積を持ち、頭部が挿通して首周りに配置される挿通孔６２を有し、吐出口５等からの低温液を受けたときに形態を維持し得る面状の本体部６１からなる。本体部６１の挿通孔６２周りの内周部６３は首への装着時と首からの離脱時に頭部が挿通可能なように周方向に伸縮自在な材料で形成され、本体部６１の縁部である外周部６４の少なくとも周方向の一部に、受水部３内に挿入され、受水部３内で抜け止めされる定着部６５を持つ。
【００４０】
遮水具６の本体部６１は少なくとも頭部を本体部６１の面に垂直な方向へ投影したときの面積より大きい面積を持てばよいが、顔面に反射する低温液を受け止め、入浴槽２への飛散を阻止する上では、図３−（ａ）に示すように挿通孔６２の中心に関して顔面側の面積が大きい方が効果的である。但し、本体部６１の面積が大きくなる程、低温液の水圧を受けて曲げ変形し易くなるため、本体部６１の面積は低温液の飛散防止と曲げ剛性との調整から決められる。
【００４１】
図１、図２に示す遮水具６の具体例を図３−（ａ）に示す。図３−（ａ）は本体部６１が円形状で、定着部６５が受水部３の排出孔４内に挿入されることにより排出孔４に抜け止めされる形状をし、外周部６４と内周部６３が中空の断面形状をし、それぞれの内部に空気が注入されることにより剛性を確保する形態を有する遮水具６の例を示す。図３−（ｃ）は（ａ）のｙ−ｙ線の断面を示す。この例では前記のように低温液の入浴槽２内への流入防止効果を上げるために、挿通孔６２の中心を本体部６１の中心より下方寄りに位置させ、挿通孔６２の中心に関して顔面側の面積を後頭部側の面積より大きくしている。
【００４２】
図３−（ａ）に示す例では定着部６５が排出孔４内に挿入された状態で、（ｂ）に示すように外周部６４が排水孔４の入り口と受水部３の内周面との境界に挟まる状態になり、定着部６５が排出孔４内に本体部６１の面内方向と面外方向に係合可能になりながら、空気の注入により膨張した外周部６４の一部が受水部３から排出孔４に移行する部分の内周面に密着することにより遮水具６が受水部３内への挿入状態を維持し、抜け出しに対して安定している。
【００４３】
図１−（ｂ）は受水部３の内周面に、吐出口５等から放出され、受水部３の内周面に反射した低温液の反射時の跳ねを抑制する緩衝溝３ａが形成された場合の受水部３の縦断面を示している。図２はその場合の図１−（ａ）の受水部３の平面を示す。図６は受水部３に緩衝溝３ａが形成された場合に、図５−（ａ）〜（ｃ）に示す遮水具６の定着部６５を緩衝溝３ａに差し込んで定着させた様子を示す。
【００４４】
図４−（ａ）は図５−（ａ）〜（ｃ）に示す多角形状に形成された遮水具６の定着部６５の周方向（長さ方向）両側の角部６６、６６を受水部３の内周面に接触させることにより定着部６５を受水部３内で抜け止めさせた様子を、（ｂ）は定着部６５の長さに応じ、受水部３の内周面から排水孔４までの区間のいずれかの位置に定着部６５両側の角部６６、６６を接触させ、受水部３内で抜け止めさせた様子を示す。
【００４５】
図４に示す例では定着部６５の両側の角部６６、６６が受水部３の内周面の内、遮水具６の面内の水平方向に対向する、水平に対して傾斜した面に接触することにより定着部６５が受水部３の内周面に定着部６５の長さ方向（水平方向）に係合した状態になる。定着部６５の角部６６が水平に対して傾斜した面に接触することで、水平方向の移動に対して拘束された状態になると同時に、いずれか一方の角部６６の回りに遮水具６が回転しようとするときにも他方の角部６６が浮き上がりにくく、遮水具６に回転が生じにくくなっている。
【００４６】
図５−（ａ）は正六角形状に形成された本体部６１の外周部分に、本体部６１とは別体の外周部６４を着脱自在に接続して遮水具６を完成させた場合の例を示す。この場合の外周部６４は硬質プラスチック等、本体部６１に剛性を付与し得るだけの十分な面外剛性を有する材料で形成され、本体部６１の外周部分には例えば面ファスナー７等により接着される。外周部６４は本体部６１の外周部分を厚さ方向両面側から挟み込む形をし、面ファスナー７は本体部６１の外周部分の厚さ方向両面と外周部６４の厚さ方向内周面に予め接合される。
【００４７】
この場合の外周部６４は本体部６１が面状の形態を維持できるだけの十分な剛性を持たない場合等の本体部６１に組み合わせられる。図面では六角形の各辺に接続される棒状の部品を長さ方向両端部において互いにピン等により連結した折れ尺状の外周部６４を本体部６１の外周部分に巻き付けながら接続しているが、外周部６４自体の形態と、外周部６４の本体部６１への接続方法は一切、問われない。図５−（ａ）に示す状態の本体部６１に未接続の棒状部品は本体部６１への接続時に接続済みの棒状部品のピンの軸部が入り込むことにより接続済みの棒状部品に連結される。
【００４８】
図５−（ｂ）、（ｃ）は遮水具６の本体部６１を不等辺の六角形状に形成した場合の例を示す。（ｂ）は六角形のいずれかの頂点と挿通孔６２の中心を通る直線に関して線対称形状に本体部６１を形成し、外周部６４が長さの異なる３通りの辺を持つ場合である。（ｃ）は六角形のいずれかの辺の中点と挿通孔６２の中心を通る直線に関して線対称形状に本体部６１を形成し、外周部６４が長さの異なる４通りの辺を持つ場合である。
【００４９】
図５−（ｂ）、（ｃ）に示す例では挿通孔６２の中心から各辺（定着部６５）の中心までの距離が長さの異なる辺毎に相違するため、複数通りの長さの定着部６５の中から、入浴者の首の位置（受水部３の内周面からの高さ）、定着部６５が納まる受水部３の内周面、もしくは排水孔４の深さの相違に応じて受水部３の内周面、もしくは排水孔４に定着させるべき定着部６５を選択することができる利点がある。
【００５０】
図６は図５−（ａ）〜（ｃ）に示すいずれかの遮水具６のいずれかの定着部６５を受水部３の内周面に形成された緩衝溝３ａに差し込み、定着させたときの様子を示す。複数通りの長さの定着部６５を持つ図５−（ａ）〜（ｃ）に示す遮水具６の複数の定着部６５のいずれかを定着部６５として使用するかは緩衝溝３ａの長さに応じて選択される。
【００５１】
図７は遮水具６の本体部６１を内周部６３寄りの領域（内周領域６１ａ）と外周部６４寄りの領域（外周領域６１ｂ）とに放射方向（半径方向）に区分し、内周部６３寄りの内周領域６１ａを中実の薄肉の板状に形成し、外周部６４寄りの外周領域６１ｂを中空の断面形状に形成し、内部に空気が注入されることにより形態維持能力（剛性）を確保する形態に遮水具６を形成した場合の例を示す。
【００５２】
この例では本体部６１が薄肉の内周領域６１ａと中空の外周領域６１ｂに放射方向に区分され、挿通孔６２周りの内周部６３寄りの領域に空気が注入されない内周領域６１ａが形成されることで、挿通孔６２に首を通すときに内周部６３の伸縮を生じ易くする利点がある。
【００５３】
例えば内周部６３の外周側にある本体部６１の全体が中空断面で、空気の注入により膨張する形態である場合、本体部６１への空気の注入状態では本体部６１が膨張して内周部６３を圧迫し、挿通孔６２に首を通すときに内周部６３が伸縮しにくくなることが想定される。これに対し、図７では本体部６１の内周部６３寄りに緩衝領域としての薄肉の内周領域６１ａが形成され、内周領域６１ａが中実であることで、空気が注入された中空断面の場合より伸縮し易いため、外周領域６１ｂに空気が注入され、膨張しているときにも、外周領域６１ｂが内周部６３を外周側から圧迫することが緩和され、挿通孔６２に首を通すときに内周部６３が伸縮しにくくなることが回避される。
【００５４】
図７ではまた、六角形状をなす本体部６１の内、中空断面の外周領域６１ｂの外周部分を外周領域６１ｂより薄肉の断面形状にし、外周領域６１ｂの外周部分に薄肉の外周部６４を形成している。ここでは中空断面の本体部６１（外周領域６１ｂ）の外周部分を外周領域６１ｂより薄肉の中空断面にすることで、本体部６１の周囲に外周領域６１ｂより薄肉で、中空の外周部６４が形成された形になっている。
【００５５】
この例では外周部６４が六角形状をしているため、六角形の辺に当たる外周部６４のいずれかの辺の区間が定着部６５として受水部３の内周面や排水孔４、または緩衝溝３ａに差し込まれ、定着される。この場合、外周部６４が中空でありながらも、薄肉であることで、定着部６５が差し込まれる排出孔４等が幅の狭い形状をしている場合に有効な形態になっている。
【００５６】
図７に示す製作例では六角形の辺に当たる定着部６５の長さ方向両側に明確な角部６６は形成されないが、本体部６１（外周領域６１ｂ）に連続して中空断面であることで、内部への空気の注入による膨張により、排水孔４や緩衝溝３ａ、受水部３の内周面と排水孔４との境界部分に密着した状態になり得るため、定着状態での安定性は確保される。
【符号の説明】
【００５７】
１……浴槽ユニット、
２……入浴槽、３……受水部、３ａ……緩衝溝、
４……排水孔、５……吐出口、
６……遮水具、６１……本体部、６１ａ……内周領域、６１ｂ……外周領域、６２……挿通孔、６３……内周部、６４……外周部、６５……定着部、
７……面ファスナー。
【要約】
【課題】入浴用の温水が貯留する入浴槽と入浴槽内の温水より低温の低温液を受ける受水部とを備えた浴槽ユニットにおいて、入浴中に頭部に低温液を浴びるときに、低温液を入浴槽へ流出させずに受水部の排出孔へ排水する。
【解決手段】入浴者の首の周りに装着される遮水具６の本体部６１に頭部より大きい面積を与え、頭部が挿通して首周りに配置される挿通孔６２を形成しながら、本体部６１を低温液を受けたときに形態を維持し得る面状に形成する。本体部６１の挿通孔６２周りの内周部６３を周方向に伸縮自在にし、本体部６１の外周部６４の少なくとも周方向の一部に、受水部３内に挿入され、受水部３内で抜け止めされる定着部６５を形成する。
【選択図】図１【図１】
0005450879.tif 000002
【図２】
0005450879.tif 000003
【図３】
0005450879.tif 000004
【図４】
0005450879.tif 000005
【図５】
0005450879.tif 000006
【図６】
0005450879.tif 000007
【図７】
0005450879.tif 000008